(57)【特許請求の範囲】
【請求項１】
取引処理を行なう機構部を内蔵した本体と、本体前面の中央部に前方に突出して設けたテーブルと、テーブル上面に配置された操作表示部と、テーブル上方の本体前面に配置されかつ取引媒体の挿入排出口を有する複数の取引媒体入出力部とを備え、前記取引媒体の投入及び前記操作表示部の入力操作により取引を行なう自動機であって、
前記本体は、前面が開口した筐体と、前記筐体の前面に回動可能に取り付けられた前面カバーとを備え、
前記前面カバーは、前記筐体の下部から前方上方にかけて突出するように形成され、その上端部が前記本体の前方へ突出した第１突出部と、前記第１突出部と前記テーブルとの間に設けられた第２突出部とを備え、
前記第１突出部と前記第２突出部は、それぞれの上面が前方に低く傾斜して形成され、
前記テーブルは、テーブル下面とテーブル下方の本体前面とで形成される空間内に本体前面に正対する車椅子利用者の膝部が進入可能となるように形成し、
前記複数の取引媒体入出力部は、それぞれの挿入排出口が前記第１突出部あるいは前記第２突出部に設けられると共に、本体前面に正対する前記車椅子利用者の足部先端に対向する本体前面よりもそれぞれの前記挿入排出口を前方に位置させ、前記本体前面に正対する前記車椅子利用者及び前記立位利用者の双方がそれぞれの前記挿入排出口を操作可能でかつ視認可能な範囲内に配置させた
ことを特徴とする自動機。
【請求項２】
請求項１に記載の自動機において、
前記取引媒体入出力部は、前記第１突出部あるいは前記第２突出部に前記挿入排出口を設けると共に、前記取引媒体の横幅より若干広くかつ上方に開放した取引媒体載置部を前記挿入排出口の前側一部として設け、前記本体前面に正対する前記車椅子利用者の足部先端に対向する前記本体前面よりも前記取引媒体載置部を前方に位置させ、前記本体前面に正対する前記車椅子利用者及び前記立位利用者が前記取引媒体載置部を操作可能でかつ視認可能な範囲内に配置させたことを特徴とする自動機。
【請求項３】
請求項１または２に記載の自動機において、
前記車椅子利用者は成人女性５パーセントタイル値を基準とし、前記立位利用者は成人男性９５パーセントタイル値を基準としたことを特徴とする自動機。
【請求項４】
請求項１から３の何れかに記載の自動機において、
前記テーブルは、テーブル上面全体を前方に低く傾斜させて前記本体前面に正対する前記車椅子利用者及び前記立位利用者の双方が前記操作表示部を操作可能でかつ視認可能な範囲内に配置されたことを特徴とする自動機。
【請求項５】
請求項１から３の何れかに記載の自動機において、
前記テーブルは、テーブル後部の両側に車椅子利用者用手掛け部を形成したことを特徴とする自動機。
【請求項６】
請求項１から３の何れかに記載の自動機において、
前記本体は、前面に配置された広告パネルを備え、
前記複数の取引媒体入出力部は、通帳を挿入排出する通帳口と、カードを挿入排出するカード口とを備え、
前記通帳口と前記カード口は、前記第１突出部に左右に隣接して配置され、
前記広告パネルは、本体前面に配置されかつ前記取引媒体の前記挿入排出口を有する前記複数の取引媒体入出力部にかかる形で前記挿入排出口より上方にあり、前記第１突出部から連続しかつ差し替え可能な広告シートを有して設置したことを特徴とする自動機。
【請求項７】
請求項６に記載の自動機において、
前記複数の取引媒体入出力部は、前後方向に通帳を挿入排出する前記通帳口と、前後方向にカードを挿入排出する前記カード口と、前後方向に紙幣を挿入排出する紙幣口とを左右上下に隣接して略三角形の頂点を形成する位置に設けたことを特徴とする自動機。
【請求項８】
請求項６または７に記載の自動機において、
前記取引媒体入出力部は、前後方向に通帳を挿入排出する前記通帳口と、前後方向にカードを挿入排出する前記カード口とを本体前面に突出する前記第１突出部に左右に隣接して並置すると共に、前記通帳口及び前記カード口の上壁部材をこの両者にまたがって周囲の部材と異なる一つのパネルで形成したことを特徴とする自動機。
【請求項９】
請求項６から８の何れかに記載の自動機において、
前記取引媒体入出力部は、前後方向に取引媒体を挿入排出する挿入排出口を前記第１突出部あるいは前記第２突出部にそれぞれ設けると共に、前記取引媒体の横幅より若干広くかつ上方に開放した取引媒体載置部を前記挿入排出口の前側の一部として設け、前記第１突出部の上壁部あるいは前記第２突出部の上壁部を透視可能なパネルで形成したことを特徴とする自動機。
【請求項１０】
取引処理を行なう機構部を内蔵した本体と、前記本体の前面部のテーブル面に配置された操作表示部と、紙幣が挿入排出可能な紙幣口を有する取引媒体入出力部とを備え、前記取引媒体の投入及び前記操作表示部の入力操作により取引を行なう自動機であって、
前記本体は、前面が開口した筐体と、前記筐体の前面に回動可能に取り付けられた前面カバーとを備え、
前記前面カバーは、前記筐体の下部から前方上方にかけて突出するように形成され、その上端部が前記本体の前方へ突出した突出部を備え、
前記突出部は、それぞれの上面が前方に低く傾斜して形成され、
前記取引媒体入出力部は、前記突出部に配置された通帳口とカード口と、前記操作表示部の前方に配置された前記紙幣口とを有することを特徴とする自動機。
【発明の詳細な説明】
【０００１】
【発明の属する技術分野】
本発明は、自動機に係り、特に銀行等に配置される現金自動取引機や行政機関及び公共施設等に設置されて各種の自動取引を行なう自動機に好適なものである。
【０００２】
【従来の技術】
従来のこの種自動機としては、特開平１０−４０４４０号公報に示されているように、車椅子利用者と立位利用者とに対応して操作表示部の高さ調整が可能で、かつ操作と視認性に優れた自動機を提供するため、本体の前面に配置された取引媒体入出力部と、テーブルの上面に配置されて取引の入力操作を行なう操作表示部と、前記取引媒体の処理ならびに前記取引の入力操作に応じる取引処理を行なう機構部を備え、前記取引媒体の投入と入力操作により取引を行なう自動機において、前記操作表示部を備えたテーブルを上下に移動させるテーブル駆動手段と、前記操作表示部の角度を変化させる角度駆動手段とを備えるようにしたものがある。
【０００３】
【発明が解決しようとする課題】
しかしながら、従来の自動機では、車椅子利用者と立位利用者とに対応してテーブルの上下動及び操作表示部の角度回動を行なうことができるものの、車椅子利用者及び立位利用者の両者に対する取引媒体入出力部の使い易さ、例えば、取引媒体入出力部の視認性や、取引媒体入出力部への取引媒体の挿入容易性等が考慮されていない。すなわち、この従来の自動機では、車椅子利用者と立位利用者とに対応するように両者の中間に位置する本体の前面平坦部に単に取引媒体入出力部が形成されているに過ぎないため、立位利用者にとってはこの低い挿入排出口を視認すること及び挿入排出口に取引媒体を挿入することが容易でなく、車椅子利用者にとっては高くて遠い位置にある挿入排出口に取引媒体を挿入することが容易でないという課題があった。
【０００４】
また、従来の自動機では、車椅子利用者及び立位利用者に対応するように、テーブルを上下動するテーブル駆動機構及び表示部を回動する表示部角度駆動機構を備えているために、高価になってしまうと共に、駆動機構の信頼性を確保しなければならないという課題があった。
【０００５】
また、従来の自動機では、車椅子利用者がテーブルを利用して車椅子を適切な位置に引き寄せることについては考慮されていない。すなわち、従来の自動機では、テーブルの上面または側面を手で押さえながら車椅子を自動機に引き寄せることが考えられるが、不安定な操作で行なわなければならないという課題があった。
【０００６】
また、従来の自動機では、車椅子利用者及び立位利用者の双方に対する機能表示部の視認性及び広告機能については十分に考慮されていない。すなわち、従来の自動機では、取引媒体入出力部から上方へかなり離れた位置に機能表示部が垂直に設置されているため、車椅子利用者にとっては自動機の操作時における視認性が劣るものであると共に、機能表示部の表示内容の変更については開示されていない。
【０００７】
また、従来の自動機では、通帳を挿入排出する通帳口と、カードを挿入排出するカード口と、紙幣を挿入排出する紙幣口とを左右上下に隣接して略三角形の頂点を形成する位置に設けているが、通帳口及びカード口が共に前後方向に通帳及びカードを挿入排出するものであるのに対し、紙幣口が凹部内に手を入れて上下方向に紙幣を挿入排出するものであり、取引媒体の種類によりその取扱方法が異なるために、不慣れな利用者にとって取引媒体の取扱方法が分かり難いという課題があった。
【０００８】
また、従来の自動機では、同一方向に取引媒体を取扱う通帳口とカード口とが前面立面部に独立して設けられているために、不慣れな利用者にとって取引媒体の取扱方法が分かり難いという課題があった。
【０００９】
また、従来の自動機では、取引媒体入出力部の挿入排出口が前面立面部に単に設けられているために、挿入排出口への取引媒体の挿入が容易ではなく、しかも取引媒体が挿入排出口から取り込まれたどうかの確認ができないという課題があった。従来は磁気ストライプカードが一般的であったため、認識のためには必ずカードを引き込む必要があったが（小さなリード部に対してストライプを長手方向に全面的にスライドして通過させる必要あり）、今後、ＩＣカードなどのカード全長を読む必要のない媒体に対しては、必ずしも全体を引き込む必要がない。不正利用時の際は装置に取り込めるようにしながらも、見かけ上は利用者からカードが常に見えて利用者に安心感を与えたいという課題が生じている。
【００１０】
また、従来の自動機では、本体の前面部のテーブル面に配置された操作表示部の後方に紙幣の挿入排出口が形成されているため、利用者が操作表示部より後方まで手を伸ばして紙幣を取扱わなければならないと共に、取扱う紙幣が周囲から容易に見えてしまうという課題があった。
【００１１】
本発明の第１の目的は、車椅子利用者及び立位利用者の双方に対する取引媒体入出力部の使い勝手が優れた自動機を提供することにある。
【００１２】
本発明の第２の目的は、車椅子利用者及び立位利用者の双方に対する操作表示部の使い勝手が優れ、安価で信頼性が高い自動機を提供することにある。
【００１３】
本発明の第３の目的は、車椅子利用者が車椅子を自動機に容易に引き寄せられる使い勝手が優れた自動機を提供することにある。
【００１４】
本発明の第４の目的は、広告パネルにより装置の高さが利用者に小さく見えて圧迫感を少なくすることができると共に、車椅子利用者及び立位利用者の双方に対する広告効果に優れ、かつ広告シートを随時変更して広告効果をより一層高めることができる自動機を提供することにある。
【００１５】
本発明の第５の目的は、隣接する通帳口、カード口及び紙幣口の取引媒体の取扱方法が分かり易く使い勝手が優れた自動機を提供することにある。
【００１６】
本発明の第６の目的は、取引媒体の取扱方向が同一の通帳口及びカード口を共通のものとして視認できる使い勝手が優れた自動機を提供することにある。
【００１７】
本発明の第７の目的は、取引媒体の挿入状態が透視可能なパネルを通して視認でき、挿入トラブルを容易に解消できる使い勝手が優れた自動機を提供することにある。
【００１８】
本発明の第８の目的は、紙幣の取扱が容易に行なえると共に取扱う紙幣を容易に周囲から隠匿して取扱える使い勝手が優れた自動機を提供することにある。
【００１９】
【課題を解決するための手段】
前記第１の目的を達成するための本発明の第１の手段は、取引処理を行なう機構部を内蔵した本体と、本体前面の中央部に前方に突出して設けたテーブルと、テーブル上面に配置された操作表示部と、テーブル上方の本体前面に配置されかつ取引媒体の挿入排出口を有する複数の取引媒体入出力部とを備え、前記取引媒体の投入及び前記操作表示部の入力操作により取引を行なう自動機であって、前記本体は、前面が開口した筐体と、前記筐体の前面に回動可能に取り付けられた前面カバーとを備え、前記前面カバーは、前記筐体の下部から前方上方にかけて突出するように形成され、その上端部が前記本体の前方へ突出した第１突出部と、前記第１突出部と前記テーブルとの間に設けられた第２突出部とを備え、前記第１突出部と前記第２突出部は、それぞれの上面が前方に低く傾斜して形成され、前記テーブルは、テーブル下面とテーブル下方の本体前面とで形成される空間内に本体前面に正対する車椅子利用者の膝部が進入可能となるように形成し、前記複数の取引媒体入出力部は、それぞれの挿入排出口が前記第１突出部あるいは前記第２突出部に設けられると共に、本体前面に正対する前記車椅子利用者の足部先端に対向する本体前面よりもそれぞれの前記挿入排出口を前方に位置させ、前記本体前面に正対する前記車椅子利用者及び前記立位利用者の双方がそれぞれの前記挿入排出口を操作可能でかつ視認可能な範囲内に配置させたものである。
【００２０】
前記第２の目的を達成するための本発明の第２の手段では、前記テーブルは、テーブル上面全体を前方に低く傾斜させて前記本体前面に正対する前記車椅子利用者及び前記立位利用者の双方が前記操作表示部を操作可能でかつ視認可能な範囲内に配置されたものである。
【００２１】
前記第３の目的を達成するための本発明の第３の手段では、前記テーブルは、テーブル後部の両側に車椅子利用者用手掛け部を形成したものである。
【００２２】
前記第４の目的を達成するための本発明の第４の手段では、前記本体は、前面に配置された広告パネルを備え、前記複数の取引媒体入出力部は、通帳を挿入排出する通帳口と、カードを挿入排出するカード口とを備え、前記通帳口と前記カード口は、前記第１突出部に左右に隣接して配置され、前記広告パネルは、本体前面に配置されかつ前記取引媒体の前記挿入排出口を有する前記複数の取引媒体入出力部にかかる形で前記挿入排出口より上方にあり、前記第１突出部から連続しかつ差し替え可能な広告シートを有して設置したものである。
【００２３】
前記第５の目的を達成するための本発明の第５の手段では、前記複数の取引媒体入出力部は、前後方向に通帳を挿入排出する前記通帳口と、前後方向にカードを挿入排出する前記カード口と、前後方向に紙幣を挿入排出する紙幣口とを左右上下に隣接して略三角形の頂点を形成する位置に設けたものである。
【００２４】
前記第６の目的を達成するための本発明の第６の手段では、前記取引媒体入出力部は、前後方向に通帳を挿入排出する前記通帳口と、前後方向にカードを挿入排出する前記カード口とを本体前面に突出する前記第１突出部に左右に隣接して並置すると共に、前記通帳口及び前記カード口の上壁部材をこの両者にまたがって周囲の部材と異なる一つのパネルで形成したものである。
【００２５】
前記第７の目的を達成するための本発明の第７の手段では、前記取引媒体入出力部は、前後方向に取引媒体を挿入排出する挿入排出口を前記第１突出部あるいは前記第２突出部にそれぞれ設けると共に、前記取引媒体の横幅より若干広くかつ上方に開放した取引媒体載置部を前記挿入排出口の前側の一部として設け、前記第１突出部の上壁部あるいは前記第２突出部の上壁部を透視可能なパネルで形成したものである。
【００２６】
前記第８の目的を達成するための本発明の第８の手段は、取引処理を行なう機構部を内蔵した本体と、前記本体の前面部のテーブル面に配置された操作表示部と、紙幣が挿入排出可能な紙幣口を有する取引媒体入出力部とを備え、前記取引媒体の投入及び前記操作表示部の入力操作により取引を行なう自動機であって、前記本体は、前面が開口した筐体と、前記筐体の前面に回動可能に取り付けられた前面カバーとを備え、前記前面カバーは、前記筐体の下部から前方上方にかけて突出するように形成され、その上端部が前記本体の前方へ突出した突出部を備え、前記突出部は、それぞれの上面が前方に低く傾斜して形成され、前記取引媒体入出力部は、前記突出部に配置された通帳口とカード口と、前記操作表示部の前方に配置された前記紙幣口とを有するものである。
【００２７】
【発明の実施の形態】
以下、本発明に係る自動機の実施形態を図を参照しながら説明する。なお、各実施形態の同一または同様な部分や部位は同一符号をもって示し重複した説明を省略する。
【００２８】
最初に、本発明の第１実施形態の現金自動取扱機を図１から図７を参照しながら説明する。図１は本発明の第１実施形態の現金自動取扱機の据付状態の斜視図、図２は同現金自動取扱機における車椅子利用者及び立位利用者の操作可能範囲を説明する図、図３は同現金自動取扱機の機構部を示す斜視図、図４は同機構部の紙幣処理機構の内部構成を示す概念図、図５は同現金自動取扱機の紙幣処理機構から紙幣を搬送する状態を説明する図、図６は同紙幣処理機構と紙幣口との間の搬送手段の動作を説明する断面概略図である。
【００２９】
先ず、図１を主に参照すると共に他の図も適宜参照しながら、本実施形態の現金自動取扱機の概略外観構造、各部寸法、利用者の操作性及び視認性について説明する。
【００３０】
金融機関等のロビーに設置される現金自動取扱機１は、略縦長直方体形状の本体２と、該本体２の前面中央に配置され、前方に板状に張り出したテーブル３とから外観が構成される。この現金自動取扱機１は、例えば前記ロビーの仕切り１９の開口１９ａ等から前面部が露出して配置される。
【００３１】
そして、この本体２は、前面を開口した略縦長直方体の筐体２１と、この筐体２１の前面開口を塞ぐように設けられた前面カバー２２と、前面上部開口を塞ぐように設けられた広告パネル２３とを有している。本体２の高さ寸法Ｈ５は１２００ｍｍであり、従来技術のものより高さが低いタイプのものである。
【００３２】
筐体２１は、機構部３０（図３参照）を内蔵しており、その前面が開口されている。前面カバー２２と広告パネル２３は、筐体２１の前面開口を閉鎖し、本体２の前面を形成している。本実施形態では、前面カバー２２と広告パネル２３とが独立して本体２の前面を形成するようになっているが、前面カバー２２で本体２の前面全体を形成してその前面カバー２２の中に広告パネル２３を設けるようにしてもよい。
【００３３】
前面カバー２２は、下部から前方上方に若干突出するように湾曲して形成され、その上端部が本体２の前面における前方への突出部である第１突出部２２ａとなっている。この前面カバー２２の前面の湾曲は、車椅子利用者を包み込むイメージの緩やかなカーブ形状であり、利用者に箱型のイメージではなくスリム感や心地よさを与えるようになっている。また、前面カバー２２には、第１突出部２２ａとテーブル３との間に位置して前方へ突出する第２突出部２２ｂが形成されている。第１突出部２２ａと第２突出部２２ｂとは、本体２の前面に上下に独立して突出する突出部として形成されている。
【００３４】
そして、前面カバー２２は側端部がヒンジ機構を介して筐体２１に回動可能に係着されている。この前面カバー２２を水平方向に回動して開くことにより機構部３０の前面部が露出され、機構部３０のメンテナンスや紙幣の補充、取出し等を容易に行なうことができる。なお、この実施形態では、前面カバー２２を開閉する１枚の部材で説明したが、これを第２実施形態のように上下に２分割して、上部を上ヒンジで上方に開放し、下部を片側ヒンジで開放するようにしてもよい。
【００３５】
第１突出部２２ａは機構部３０の通帳機構３１及びカード機構３２の前方に位置している。通帳機構３１及びカード機構３２は機構部３０の中では前後方向に長いものが一般に用いられており、機構部３０において他より前方に突出しているので、第１突出部２２ａを前方に突出して通帳機構３１及びカード機構３２の突出部分を吸収するようにしており、これにより現金自動取扱機１全体の纏まりが良好となり、小型な現金自動取扱機１とすることができる。
【００３６】
また、第１突出部２２ａは、前面カバー２２の上端部に横幅一杯に横長に形成され、上面が前方に低く傾斜して形成されている。このように、第１突出部２２ａの上面が前方に低く傾斜して形成されていることにより、立位利用者及び車椅子利用者の双方に対する視認性の向上を図ることができ、これに伴って通帳口８及びカード口９の視認性の向上を図ることができる。
【００３７】
この第１突出部２２ａは、第1下壁部材２４Ａと、この第1下壁部材２４Ａとは別体の部材で形成する第１上壁部材２４とから構成されている。この第１上壁部材２４は、周囲の色と異なる透明なアクリルパネルで形成されている。そして、第１突出部２２ａには、取引媒体入出力部を構成する通帳口８及びカード口９が左右に隣接して設けられている。従って、通帳口８及びカード口９の第１上壁部材２４は、この両者にまたがった一つのパネルで形成されていることになる。また、第１上壁部材２４は着脱可能に設けられている。これにより、設置場所等に応じて変更ができ、現金自動取扱機１の主な利用者や周囲のデザインにマッチしたものに容易に変更することができる。
【００３８】
通帳口８及びカード口９は、第1下壁部材２４Ａと第１上壁部材２４との間に通帳及びカードを前後方向に挿入排出するための通路を形成することにより構成されている。この通路は、挿入排出する通帳及びカードの横幅より若干広い幅に形成されていると共に、通帳機構３１及びカード機構３２の機構口３１ａ、３２ａ（図３参照）に連なるように設けられている。
【００３９】
そして、第１上壁部材２４には、通帳及びカードの横幅より若干広く切欠いた切欠部８ａ、９ａが形成されている。この切欠部８ａ、９ａにより、第1下壁部材２４Ａの上面が上方に開放された形態となり、この部分が通帳及びカードの挿入排出する際の一時的な載置部８ｂ、９ｂとして利用される。この載置部８ｂ、９ｂは、通帳口８及びカード口９の前側一部として構成されている。そして、この載置部８ｂ、９ｂは、車椅子利用者及び立位利用者が操作可能でかつ視認可能範囲内に位置しており、本体前面に正対する車椅子利用者の足部先端に対向する本体前面より１１１ｍｍの突出寸法Ｄ１を有して前方に位置されると共に、１０２９ｍｍの高さ寸法Ｈ５を有する位置に設けられている。また、取引媒体入出力部は、前後方向に取引媒体を挿入排出する挿入排出口８〜１０を本体前面に突出する突出部２２ａ、２２ｂに設けると共に、取引媒体の横幅より若干広くかつ上方に開放した取引媒体載置部８ｂ、９ｂを挿入排出口８〜１０の前側一部として設け、突出部２２ａ、２２ｂの上壁部を透視可能なパネル２４、２６で形成している。
【００４０】
第２突出部２２ｂは、紙幣機構３３の上端部前方に位置し、テーブル３の上方で前面カバー２２の左右中央部に横長に形成され、上面が前方に低く傾斜して形成されている。このように、第２突出部２２ｂの上面が前方に低く傾斜して形成されていることにより、立位利用者及び車椅子利用者の双方に対する視認性の向上を図ることができ、これに伴って紙幣口１０の視認性の向上を図ることができる。
【００４１】
そして、第２突出部２２ｂは、前面カバー２２とは別体の第２下壁部材２５と、この第1下壁部材２４Ａ及び前面カバー２２とは別体の第２上壁部材２６とから構成されている。この第２上壁部材２６は、周囲の色と異なる透明なアクリルパネルで形成されている。また、第２突出部２２ｂには、取引媒体入出力部を構成する紙幣口１０が中央部に設けられている。また、第２上壁部材２６は着脱可能に設けられている。これにより、第１上壁部材２４と共に設置場所等に応じて変更ができ、現金自動取扱機１の主な利用者や周囲のデザインにマッチしたものに容易に変更することができ、さらには、第１上壁部材２４と異なる色等を選択して第１上壁部材２４と区分することが可能である。
【００４２】
紙幣口１０は、第２下壁部材２５と第２上壁部材２６との間に紙幣を前後方向に挿入排出するための通路を形成することにより構成されている。この通路は、挿入排出する紙幣の横幅より若干広い幅に形成されていると共に、紙幣機構３３の搬送口３３ａ（図３参照）に連なるように設けられている。第２上壁部材２６には紙幣の横幅より若干広く切欠いた切欠部１０ａが形成されている。この切欠部１０ａにより、第２下壁部材２５の上面が上方に開放された形態となり、この部分が紙幣の挿入排出する際の一時的な載置部１０ｂとして利用される。この載置部１０ｂは、紙幣口１０の前側一部として構成されている。そして、この載置部１０ｂは、車椅子利用者及び立位利用者が操作可能でかつ視認可能範囲内に位置しており、本体前面に正対する車椅子利用者の足部先端に対向する本体前面より、１３３ｍｍの突出寸法Ｄ２を有する前方に位置されると共に、９００ｍｍの高さ寸法Ｈ４を有する位置に設けられている。
【００４３】
通帳口８、カード口９及び紙幣口１０は、上下左右に隣接して配置され、略三角形の頂点を形成する位置に設けられている。
【００４４】
広告パネル２３は、前面カバー２２の上端部から連続して後方上方に傾斜して設けられており、取引表示だけでなく広告シートの差し替えが可能に設けられている。これにより利用者に対する広告効果が優れたものとなっている。特に、広告パネル２３が後方上方に傾斜していることにより、立位利用者に対する取引表示及び広告の視認性も向上し、車椅子利用者及び立位利用者の双方に広告効果の優れたものとすることができる。ここで、前方上方に湾曲する前面カバー２２の上端部から広告パネル２３を上方後方に傾斜させているので、前面カバー２２の下端部と広告パネル２３の上端部とを仕切り１９の開口１９ａに一致させて現金自動取扱機１を設置することができ、体裁の良い据付形態とすることができる。
【００４５】
テーブル３は、前方に低く傾斜したテーブル面３ａの中央部に操作表示部４を備えると共に、ハンドセット載置部３ｂを形成している。なお、ハンドセット載置部テーブル３ｂには、非常連絡用の店内連絡電話用ハンドセットや音声で操作を案内する視覚障害者用ＩＣキー付ハンドセットなどが載置される。
【００４６】
また、このテーブル３は、車椅子利用者に適した高さに設定され、具体的には本体２の前面下部とテーブル３の下面との間に車椅子利用者が本体前面に正対して車椅子利用者の膝部が挿入可能な下方空間を形成するように設けられている。また、テーブル３は、上面のテーブル面全体が前方に低く傾斜して形成されている。テーブル面３ａの傾斜面の傾斜角度θ１は１０度に設定されている。
【００４７】
操作表示部４は、大きな１５インチの液晶パネルが用いられ、操作方法や処理結果が表示され、タッチパネル式の入力装置を兼ねている。操作表示部４の画面に各種の操作キーやガイダンスを表示させ、該操作キーの画面位置に対応して設定される操作指示をタッチパネルを指等で触れることで入力・操作ができるようにしている。この実施形態では、車椅子利用者の十分な下肢空間を確保するために薄形のＬＣＤを採用している。
【００４８】
そして、この操作表示部４は、車椅子利用者及び立位利用者が操作可能でかつ視認可能範囲内に位置しており、本体前面に正対する車椅子利用者の足部先端に対向する本体前面より、その後端が１４２ｍｍの突出寸法Ｄ３を有して前方に位置されていると共に、その中央部が８３９ｍｍの高さ寸法Ｈ３を有する位置に設けられている。また、テーブル３の前端は、本体前面に正対する車椅子利用者の足部先端に対向する本体前面より、４３６ｍｍの突出寸法Ｄ４を有すると共に、８１８ｍｍの高さ寸法Ｈ３を有する位置に設けられている。
【００４９】
さらには、テーブル３の後部両側には、車椅子利用者が現金自動取扱機１に車椅子を寄せ易いように手掛け部３ｃが形成されている。この手掛け部３ｃは、第２突出部２２ｂの突出部を利用してその両側に位置し、かつテーブル面が傾斜して後部が高くなっていることを利用してテーブル３の後端部に形成されている。
【００５０】
上述した本実施形態における車椅子利用者は成人女性５パーセントタイル値（背の低い利用者）を基準とし、立位利用者は成人男性９５パーセントタイル値（背の高い利用者）を基準としており、係る車椅子利用者５１及び立位利用者５２の操作状態を図２に示す。図２において、円形Ｓで囲まれた範囲が車椅子利用者５１の操作可能範囲であり、円形Ｔで囲まれた範囲が立位利用者５２の操作可能範囲である。また、線分Ｕは、立位利用者５２の視線を示し、図２では操作表示部４の後端部を見ている状態を示す。この線分Ｕから明らかなように立位利用者５２は、第２突出部２２ａに邪魔されることなく、操作表示部の全画面を視認することができる。
【００５１】
次いで、図３を参照しながら機構部３０について説明する。機構部３０は、筐体２１に内蔵される形態で、通帳機構３１、カード機構３２、紙幣機構３３、制御装置３５、サブ電源３６、ジャーナル印字機構３７及びメイン電源３８を備えている。
【００５２】
紙幣機構３３は、紙幣の処理を行なうものであり、筐体２１内の中央部に配置されている。制御装置３５は、操作表示部４の入力操作により、現金自動取扱機１の各機器の制御を行なうと共に、処理結果を操作表示部４または広告パネル２３に表示するものであり、紙幣機構３３の左右一側に配置されている。また、サブ電源３６、ジャーナル印字機構３７及びメイン電源３８は、この順に上下に配置されると共に、紙幣機構３３の左右他側に配置されている。
【００５３】
通帳機構３１は投入された通帳の処理（例えば取扱年月日や取扱金額の印字等）を行なうものであり、カード機構３２は投入されたカードの処理（例えばカード番号の読取等）を行なうものである。この通帳機構３１及びカード機構３２は、紙幣機構３３の上方に位置して左右に並置されている。
【００５４】
次いで、図４を参照しながら紙幣機構３３の内部構成および作用の一例について説明する。ＣＳＭは入出金口、ＴＳは一時保留部、ＢＣは鑑別部、ＢＯＸは取り忘れ回収部、ＲＪＢは運用リジェクト部、ＣＢは装填／回収カセット、ＲＪＢＳは装填リジェクト部、ＲＢ１はリサイクルボックス（千円札用）、ＲＢ２はリサイクルボックス（万円札用）である。
【００５５】
本実施形態の場合、入出金口ＣＳＭ、一時保留部ＴＳ、鑑別部ＢＣ、取り忘れ回収部ＢＯＸ、運用リジェクト部ＲＪＢ、装填／回収カセットＣＢ、リサイクルボックスＲＢ１およびＲＢ２を縦方向に積層することにより、設置面積を小さくしている。
【００５６】
装填／回収カセットＣＢは、前面カバー２２を開いて出し入れされ、更に装填／回収カセットＣＢの図示しない扉を開いて外部から紙幣を出し入れされる。装填／回収カセットＣＢの紙幣は、装填されると、まず、鑑別部ＢＣ、一時保留部ＴＳ、鑑別部ＢＣの経路をへて、リサイクルボックスＲＢ１およびＲＢ２に振り分けられる。また、鑑別時に不良と判定された紙幣は、装填リジェクト部ＲＪＢＳに収納される。
【００５７】
外部からの入出金口ＣＳＭを通じた入金の場合には、入金された紙幣は、鑑別部ＢＣによる鑑別を経て一時保留部ＴＳに収納され、取引確定後、鑑別部ＢＣを経て金種を判別した後、リサイクルボックスＲＢ１およびＲＢ２に振り分けられる。この時、不良と判別された紙幣は、運用リジェクト部ＲＪＢに収納される。
【００５８】
出金操作では、必要な金額の紙幣がリサイクルボックスＲＢ１およびＲＢ２から鑑別部ＢＣを経て入出金口ＣＳＭに排出される。この時、不良の紙幣は、一時保留部ＴＳに収納され、取引終了後、運用リジェクト部ＲＪＢに収納される。
【００５９】
次いで、図５及び図６を参照しながら紙幣の搬送方法について説明する。紙幣機構３３の入出金口ＣＳＭは、回動可能に軸支されて設けられ、制御装置３５の制御指令により入出金時に図示しない駆動機構により回転軸部３４を支点として前側に回動される。そして、入出金口ＣＳＭと紙幣口１０と間には、送り機構である搬送手段３９が配置されている。
【００６０】
制御装置３５の制御指令により出金処理が行なわれると、図６（ａ）に示すように入出金口ＣＳＭに紙幣４０が供給される。そして、入出金口ＣＳＭが搬送手段３９の一部と共に回転軸部３４を支点として前側に回動し、これと共に移動した搬送手段３９に対応する搬送手段３９も移動し、図６（ｂ）に示すように紙幣４０を搬送手段３９で挟んだ状態で搬送手段３９の各部が回転することにより、紙幣４０が搬送され、図６（ｃ）に示すように紙幣口１０に排出される。
【００６１】
また、制御装置３５の制御指令により入金処理が行なわれると、入出金口ＣＳＭが搬送手段３９の一部と共に回転軸部３４を支点として前側に回動し、これと共に移動した搬送手段３９に対応する搬送手段３９も移動し、図６（ｄ）に示す状態となる。そして、紙幣口１０に挿入された紙幣を搬送手段３９が挟んだ状態で搬送手段３９が回転することにより、図６（ｅ）に示すように入出金口ＣＳＭに紙幣４０が搬送される。そして、搬送手段３９の一方が元に戻ると共に、入出金口ＣＳＭが搬送手段３９の一部と共に回転軸部３４を支点として回動して元に戻り、図６（ｆ）に示す状態となる。この入出金口ＣＳＭ内の紙幣４０は上述した紙幣機構３３の動作により所定の収納場所に取り込まれる。
【００６２】
本実施形態においては、テーブル下面とテーブル下方の本体前面とで形成される空間内に本体前面に正対する車椅子利用者の膝部が進入可能となるようにテーブル３を形成し、本体前面の上下で独立して突出する突出部２２ａ、２２ｂに取引媒体入出力部の挿入排出口８、９、１０を設けると共に、本体前面に正対する車椅子利用者の足部先端に対向する本体前面よりも挿入排出口８、９、１０を前方に位置させ、本体前面に正対する車椅子利用者及び立位利用者の双方がそれぞれの挿入排出口８、９、１０を操作可能でかつ視認可能な範囲内に配置させるようにしているので、車椅子利用者及び立位利用者の双方に対する取引媒体入出力部の使い勝手が優れたものとすることができる。
【００６３】
また、テーブル下面とテーブル下方の本体前面とで形成される空間内に本体前面に正対する車椅子利用者の膝部が進入可能となるようにテーブル３を形成し、本体前面に突出する突出部２２ａ、２２ｂに取引媒体入出力部の挿入排出口８、９、１０を設けると共に、取引媒体の横幅より若干広くかつ上方に開放した取引媒体載置部８ｂ、９ｂ、１０ｂを挿入排出口８、９、１０の前側一部として設け、本体前面に正対する車椅子利用者の足部先端に対向する本体前面よりも取引媒体載置部８ｂ、９ｂ、１０ｂを前方に位置させ、本体前面に正対する車椅子利用者及び立位利用者が取引媒体載置部８ｂ、９ｂ、１０ｂを操作可能でかつ視認可能な範囲内に配置させているので、車椅子利用者及び立位利用者の双方に対する取引媒体入出力部の使い勝手が優れたものとすることができる。
【００６４】
また、テーブル下面とテーブル下方の本体前面とで形成される空間内に本体前面に正対する車椅子利用者の膝部が進入可能となるようにテーブル３を形成すると共に、そのテーブル上面全体を前方に低く傾斜させて本体前面に正対する車椅子利用者及び立位利用者の双方が操作表示部４を操作可能でかつ視認可能な範囲内に配置させているので、テーブル３及び操作表示部を可動にする必要がなく、車椅子利用者及び立位利用者の双方に対する操作表示部４の使い勝手が優れ、安価で信頼性の高いものとすることができる。
【００６５】
また、テーブル下面とテーブル下方の本体前面とで形成される空間内に本体前面に正対する車椅子利用者の膝部が進入可能となるようにテーブル３を形成すると共に、テーブル後部の両側に車椅子利用者用手掛け部３ｃを形成しているので、車椅子利用者が車椅子を自動機１に容易に引き寄せられ、使い勝手が優れたものとすることができる。
【００６６】
また、テーブル下面とテーブル下方の本体前面とで形成される空間内に本体前面に正対する車椅子利用者の膝部が進入可能となるようにテーブル３を形成し、通帳を挿入排出する通帳口８とカードを挿入排出するカード口９とを本体前面に突出する突出部２２ａに位置して左右に隣接して複数の取引媒体入出力部として設け、広告パネル２３が本体前面に配置されかつ取引媒体の挿入排出口８、９を有する複数の取引媒体入出力部にかかる形で挿入排出口８、９より上方にあり、広告パネル２３を突出部２２ａから連続しかつ差し替え可能な広告シートを有して設置しているので、広告パネル２３により装置の高さが利用者に小さく見えて圧迫感を少なくすることができると共に、車椅子利用者及び立位利用者の双方が通帳口８及びカード口９に取引媒体を投入する際に広告パネルを必然的に見ることとなり、広告パネル２３による広告効果を高いものとすることができ、かつ広告シートを随時に変更して広告効果をより一層高めたものとすることができる。
【００６７】
また、前後方向に通帳を挿入排出する通帳口８と、前後方向にカードを挿入排出するカード口９と、前後方向に紙幣を挿入排出する紙幣口１０とを左右上下に隣接して略三角形の頂点を形成する位置に設けて取引媒体入出力部としているので、隣接する通帳口８、カード口９及び紙幣口１０の取引媒体の挿入排出方向が全て同一で取扱方法が分かり易く、使い勝手が優れたものとすることができる。
【００６８】
また、前後方向に通帳を挿入排出する通帳口８と、前後方向にカードを挿入排出するカード口９とを本体前面に突出する突出部２２ａに左右に隣接して並置して取引媒体入出力部とすると共に、通帳口８及びカード口９の上壁部材をこの両者８、９にまたがって周囲の部材と異なる一つのパネルで形成しているので、通帳及びカードの取扱方向が同一の通帳口８及びカード口９を共通のものとして視認でき、使い勝手が優れたものとすることができる。
【００６９】
また、前後方向に取引媒体を挿入排出する挿入排出口８、９、１０を本体前面に突出する突出部２２ａ、２２ｂに設けた取引媒体入出力部とすると共に、取引媒体の横幅より若干広くかつ上方に開放した取引媒体載置部８ｂ、９ｂ、１０ｂを挿入排出口８、９、１０の前側一部として設け、突出部２２ａ、２２ｂの上壁部を透視可能なパネルで形成しているので、取引媒体の挿入状態が透視可能なパネルを通して視認できと共に挿入トラブルを容易に解消でき、使い勝手が優れたものとすることができる。
【００７０】
次に、本発明の第２実施形態を図７を用いて説明する。図７は本発明の第２実施形態の自動機の斜視図である。本実施形態は、次に述べる通り第１実施形態と相違するものであり、その他の点については第１実施形態と基本的には同一である。
【００７１】
本実施形態では、第１実施形態の筐体２１の前縁部に相当する部分が別体の化粧カバー本体２９で形成されている。この化粧カバー本体２９は、第１実施形態の筐体２１と同様に前面が開口していると共に、上部化粧カバー本体２９Ａと下部化粧カバー本体２９Ｂとに分割されている。そして、前面カバー２２は上部前面カバー２２Ａと下部前面カバー２２Ｂとに分割されており、上部２２Ａは上部化粧カバー本体２９Ａに装着され、下部前面カバー２２Ｂは下部化粧カバー本体２９Ｂに装着されている。通帳口８、カード口９、紙幣口１０及びテーブル３は上部前面カバー２２Ａ側に設けられている。
【００７２】
上部化粧カバー本体２９Ａは、上端部がヒンジ機構を介して筐体２１に回動可能に取付けられている。また、下部化粧カバー本体２９Ｂは、側端部がヒンジ機構を介して筐体２１に回動可能に取付けられている。従って、上部化粧カバー本体２９Ａをテーブル３等と共に上方に回動して筐体２１の前面上部を開口し、下部化粧カバー本体２９Ｂを水平方向に回動して筐体２１の前面下部を開口することにより機構部３０の前面部が露出され、機構部３０のメンテナンスや紙幣の補充、取出し等を容易に行なうことができる。
【００７３】
次に、本発明の第３実施形態を図８から図１０を用いて説明する。図８は本発明の第３実施形態の自動機の据付状態の斜視図、図９は同自動機の正面、側面及び車椅子利用者操作状態の側面を示す図、図１０は同自動機の紙幣搬送手段を説明するための縦断面概略図、図１１は同現金自動取扱機における車椅子利用者の利用例を示す斜視図である。本実施形態は、次に述べる通り第１実施形態と相違するものであり、その他の点については第１実施形態と基本的には同一である。
【００７４】
本実施形態では、テーブル３と第１突出部２２ａとの間に第１本実施形態のような第２突出部が設けられておらず、テーブル３の前端部に第２突出部３ｄが設けられている。テーブル３は、この第２突出部３ｄを除くテーブル面３ａが前方に低く傾斜されている。このテーブル面３ａの傾斜面は、第１本実施形態の傾斜角度より若干大きな角度の２０度に設定されている。このようにテーブル面３ａの傾斜面を大きな角度にすることにより、第２突出部３ｄの前方への突出寸法を小さくすることができる。第２突出部３ｄは、テーブル面３ａの傾斜面の前端から前方に水平に突出して設けられている。
【００７５】
第２突出部３ｄには、その前側中央部に紙幣口１０が形成されている。なお、この紙幣口１０は、第１実施形態と同様に切欠部１０ａによる載置部１０ｂが形成されている。
【００７６】
本体２に内蔵された紙幣機構３３の入出金口ＣＳＭとテーブル３の前端に設けられた第２突出部３ｄの紙幣口１０と間には、送り機構である搬送手段３９が配置されている。この搬送手段３９は、テーブル３内の空間を通って紙幣口１０まで水平に延びている。
【００７７】
制御装置３５の制御指令により出金処理が行なわれると、入出金口ＣＳＭに紙幣４０が供給され、搬送手段３９で紙幣４０を挟み、搬送手段３９の各部が回転することにより、紙幣４０が搬送され、紙幣口１０に排出される。また、制御装置３５の制御指令により入金処理が行なわれると、紙幣口１０に挿入された紙幣を搬送手段３９が挟み、搬送手段３９の各部が回転することにより、入出金口ＣＳＭに紙幣４０が搬送される。
【００７８】
本実施形態においては、操作表示部４の前方に紙幣口１０を配置した取引媒体入出力部としているので、紙幣の取扱が容易に行なえると共に取扱う紙幣を容易に周囲から隠匿して取扱え、使い勝手が優れたものとすることができる。
【００７９】
さらには、本実施形態においても、テーブル３の後部両側には車椅子利用者が現金自動取扱機１に車椅子を寄せ易いように手掛け部３ｃが形成されており、図１１に示すように車椅子利用者がこの手掛け部３ｃに手を掛けて車椅子を本体２側に容易に引き寄せることができるようになっている。
【００８０】
【発明の効果】
本発明によれば、車椅子利用者及び立位利用者の双方に対する取引媒体入出力部の使い勝手が優れた自動機を得ることができる。
【００８１】
また、本発明によれば、車椅子利用者及び立位利用者の双方に対する操作表示部の使い勝手が優れ、安価で信頼性が高い自動機を得ることができる。
【００８２】
また、本発明によれば、車椅子利用者及び立位利用者の双方に対する取引媒体入出力部の使い勝手が優れた自動機を得ることができる。
【００８３】
また、本発明によれば、車椅子利用者が車椅子を自動機に容易に引き寄せられる使い勝手が優れた自動機を得ることができる。
【００８４】
また、本発明によれば、広告パネルにより装置の高さが利用者に小さく見えて圧迫感を少なくすることができると共に、車椅子利用者及び立位利用者の双方に対する広告効果に優れ、かつ広告シートを随時変更して広告効果をより一層高めることができる自動機を得ることができる。
【００８５】
また、本発明によれば、隣接する通帳口、カード口及び紙幣口の取引媒体の取扱方法が分かり易く使い勝手が優れた自動機を得ることができる。
【００８６】
また、本発明によれば、取引媒体の取扱方向が同一の通帳口及びカード口を共通のものとして視認できる使い勝手が優れた自動機を得ることができる。
【００８７】
また、本発明によれば、取引媒体の挿入状態が透視可能なパネルを通して視認でき、挿入トラブルを容易に解消できる使い勝手が優れた自動機を得ることができる。
【００８８】
また、本発明によれば、紙幣の取扱が容易に行なえると共に取扱う紙幣を容易に周囲から隠匿して取扱える使い勝手が優れた自動機を得ることができる。
【図面の簡単な説明】
【図１】本発明の第１実施形態の現金自動取扱機の据付状態の斜視図である。
【図２】同現金自動取扱機における車椅子利用者及び立位利用者の操作可能範囲を説明する図である。
【図３】同現金自動取扱機の機構部を示す斜視図である。
【図４】同機構部の紙幣処理機構の内部構成を示す概念図である。
【図５】同現金自動取扱機の紙幣処理機構から紙幣を搬送する状態を説明する図である。
【図６】同紙幣処理機構と紙幣口との間の搬送手段の動作を説明する断面概略図である。
【図７】本発明の第２実施形態の自動機の斜視図である。
【図８】本発明の第３実施形態の自動機の据付状態の斜視図である。
【図９】同自動機の正面、側面及び車椅子利用者操作状態の側面を示す図である。
【図１０】同自動機の紙幣搬送手段を説明するための縦断面概略図である。
【図１１】同現金自動取扱機における車椅子利用者の利用例を示す斜視図である。
【符号の説明】
１…現金自動取扱機、２…本体、３…テーブル、３ａ…テーブル面、３ｂ…ハンドセット載置部、３ｃ…手掛け部、３ｄ…第２突出部、４…操作表示部、８…通帳口、８ａ…切欠部、８ｂ…載置部、９…カード口、９ａ…切欠部、９ｂ…載置部、１０…紙幣口、１９…仕切り、１９ａ…開口、２１…筐体、２２…前面カバー、２２ａ…第１突出部、２２ｂ…第２突出部、２２Ａ…上部前面カバー、２２Ｂ…下部前面カバー、２３…広告パネル、２４…第１上壁部材、２５…第２下壁部材、２６…第２上壁部材、２９…化粧カバー本体、２９Ａ…上部化粧カバー本体、２９Ｂ…下部化粧カバー本体、３０…機構部、３１…通帳機構、３２…カード機構、３３…紙幣機構、３４…回転軸部、３５…制御装置、３６…サブ電源、３７…ジャーナル印字機構、３８…メイン電源、３９…搬送手段、４０…紙幣。
【図１】
0004914543.tif 000002
【図２】
0004914543.tif 000003
【図３】
0004914543.tif 000004
【図４】
0004914543.tif 000005
【図５】
0004914543.tif 000006
【図６】
0004914543.tif 000007
【図７】
0004914543.tif 000008
【図８】
0004914543.tif 000009
【図９】
0004914543.tif 000010
【図１０】
0004914543.tif 000011
【図１１】
0004914543.tif 000012